(57)【要約】      （修正有）【課題】撮影時間の延長ができるだけ短くなるようにすることを提供する。【解決手段】プリスキャンＡでは、ナビゲータシーケンスＮＡＶとイメージングシーケンスＩＳとを含むシーケンスの組合せａ１〜ａＭを実行する。そして、ナビゲータシーケンスＮＡＶにより得られた呼吸データに基づいて、被検体の呼吸の吐き終わりの範囲ＡＷを設定する。また、プリスキャンＡにより得られたデータセグメントSeg１〜SegＭの中から、呼吸データが吐き終わりの範囲ＡＷに含まれているときに収集されたデータセグメントを特定する。本スキャンＢでは、画像再構成に必要なデータセグメントSeg１〜SegＮのうち、プレスキャンＡでは得られなかった残りのデータセグメントのみを取得する。【選択図】図７
2013154015.tif 000002
【特許請求の範囲】
【請求項１】
被検体の呼吸データを取得するための第１のナビゲータシーケンスと、前記被検体の呼吸により体動する撮影部位からｋ空間のデータを取得するための第１のイメージングシーケンスとを含むシーケンスの組合せを複数有するプリスキャンを実行した後、前記被検体の呼吸データを取得するための第２のナビゲータシーケンスと、前記撮影部位からｋ空間のデータを取得するための第２のイメージングシーケンスとを含むシーケンスの組合せを複数有する本スキャンを実行する磁気共鳴装置であって、
前記プレスキャンの前記第１のナビゲータシーケンスにより取得された呼吸データに基づいて、前記被検体が所定の呼吸状態のときの呼吸範囲を設定する設定手段と、
前記本スキャンのシーケンスの組合せに含まれる前記第２のナビゲータシーケンスにより取得された呼吸データが、前記呼吸範囲に含まれている場合、前記第２のナビゲータシーケンスと同じシーケンスの組合せに含まれる前記第２のイメージングシーケンスにより取得されたｋ空間のデータを、画像再構成を行うためのｋ空間のデータとして用いる再構成手段とを有し、
前記再構成手段は、
前記プレスキャンのシーケンスの組合せに含まれる前記第１のナビゲータシーケンスにより取得された呼吸データが、前記呼吸範囲に含まれている場合、前記第１のナビゲータシーケンスと同じシーケンスの組合せに含まれる前記第１のイメージングシーケンスにより取得されたｋ空間のデータを、画像再構成を行うためのｋ空間のデータとして用いる、磁気共鳴装置。
【請求項２】
前記再構成手段は、ｋ空間のデータを表すＮ個のデータセグメントを用いて画像再構成を行い、
前記Ｎ個のデータセグメントのうちの一部のデータセグメントは、前記プレスキャンの前記第１のイメージングシーケンスにより取得されたデータセグメントであり、残りのデータセグメントは、前記本スキャンの前記第２のイメージングシーケンスにより取得されたデータセグメントである、請求項１に記載の磁気共鳴装置。
【請求項３】
前記本スキャンの第２のナビゲータシーケンスにより取得された呼吸データが、前記呼吸範囲に含まれているか否かを判断する判断手段を有する、請求項２に記載の磁気共鳴装置。
【請求項４】
前記プレスキャンのシーケンスの組合せは、２つの第１のナビゲータシーケンスを有し、
前記２つの第１のナビゲータシーケンスのうちの一方の第１のナビゲータシーケンスは、前記第１のイメージングシーケンスの前に備えられており、他方の第１のナビゲータシーケンスは、前記第１のナビゲータシーケンスの後に備えられている、請求項２又は３に記載の磁気共鳴装置。
【請求項５】
前記一方の第１のナビゲータシーケンスにより取得された呼吸データ、又は前記他方の第１のナビゲータシーケンスにより取得された呼吸データが、前記呼吸範囲に含まれている場合、前記第１のイメージングシーケンスにより得られたデータセグメントを、画像再構成のためのデータとして用いる、請求項４に記載の磁気共鳴装置。
【請求項６】
前記一方の第１のナビゲータシーケンスにより取得された呼吸データと、前記他方の第１のナビゲータシーケンスにより取得された呼吸データとの両方の呼吸データが、前記呼吸範囲に含まれている場合、前記第１のイメージングシーケンスにより得られたデータセグメントを、画像再構成のためのデータとして用いる、請求項４に記載の磁気共鳴装置。
【請求項７】
前記本スキャンのシーケンスの組合せは、２つの第２のナビゲータシーケンスを有し、
前記２つの第２のナビゲータシーケンスのうちの一方の第２のナビゲータシーケンスは、前記第２のイメージングシーケンスの前に備えられており、他方の第２のナビゲータシーケンスは、前記第２のナビゲータシーケンスの後に備えられている、請求項２〜６のうちのいずれか一項に記載の磁気共鳴装置。
【請求項８】
前記一方の第２のナビゲータシーケンスにより取得された呼吸データ、又は前記他方の第２のナビゲータシーケンスにより取得された呼吸データが、前記呼吸範囲に含まれている場合、前記第２のイメージングシーケンスにより得られたデータセグメントを、画像再構成のためのデータとして用いる、請求項７に記載の磁気共鳴装置。
【請求項９】
前記一方の第２のナビゲータシーケンスにより取得された呼吸データと、前記他方の第２のナビゲータシーケンスにより取得された呼吸データとの両方の呼吸データが、前記呼吸範囲に含まれている場合、前記第２のイメージングシーケンスにより得られたデータセグメントを、画像再構成のためのデータとして用いる、請求項７に記載の磁気共鳴装置。
【請求項１０】
前記呼吸範囲は、前記被検体の呼吸の吐き終わりの範囲である、請求項１〜９のうちのいずれか一項に記載の磁気共鳴装置。
【請求項１１】
被検体の呼吸データを取得するための第１のナビゲータシーケンスと、前記被検体の呼吸により体動する撮影部位からｋ空間のデータを取得するための第１のイメージングシーケンスとを含むシーケンスの組合せを複数有するプリスキャンを実行した後、前記被検体の呼吸データを取得するための第２のナビゲータシーケンスと、前記撮影部位からｋ空間のデータを取得するための第２のイメージングシーケンスとを含むシーケンスの組合せを複数有する本スキャンを実行する磁気共鳴装置のプログラムであって、
前記プレスキャンの前記第１のナビゲータシーケンスにより取得された呼吸データに基づいて、前記被検体が所定の呼吸状態のときの呼吸範囲を設定する設定処理と、
前記本スキャンのシーケンスの組合せに含まれる前記第２のナビゲータシーケンスにより取得された呼吸データが、前記呼吸範囲に含まれている場合、前記第２のナビゲータシーケンスと同じシーケンスの組合せに含まれる前記第２のイメージングシーケンスにより取得されたｋ空間のデータを、画像再構成を行うためのｋ空間のデータとして用いる再構成処理と、
を計算機に実行されるためのプログラムであり、
前記再構成処理は、
前記プレスキャンのシーケンスの組合せに含まれる前記第１のナビゲータシーケンスにより取得された呼吸データが、前記呼吸範囲に含まれている場合、前記第１のナビゲータシーケンスと同じシーケンスの組合せに含まれる前記第１のイメージングシーケンスにより取得されたｋ空間のデータを、画像再構成を行うためのｋ空間のデータとして用いる、プログラム。
【発明の詳細な説明】
【技術分野】
【０００１】
本発明は、ナビゲータシーケンスとイメージングシーケンスとを含む本スキャンを実行する磁気共鳴装置およびプログラムに関する。
【背景技術】
【０００２】
呼吸同期法を用いて被検体を撮影する技術として、ナビゲータゲーティング技術が知られている（特許文献１参照）。
【先行技術文献】
【特許文献】
【０００３】
【特許文献１】特開２００９−２５４３９２号公報
【発明の概要】
【発明が解決しようとする課題】
【０００４】
ナビゲータゲーティング技術では、被検体の呼吸情報を得るために、本スキャンの前に、ナビゲータ用のプレスキャンが行われる。したがって、ベローズなどの呼吸センサを用いたゲーティング技術と比較すると、プレスキャンの時間の分だけ撮影時間が延長してしまうという問題がある。そこで、ナビゲータゲーティング技術により被検体を撮影する場合、撮影時間の延長ができるだけ短くなるようにすることが望まれている。
【課題を解決するための手段】
【０００５】
本発明の第１の態様は、被検体の呼吸データを取得するための第１のナビゲータシーケンスと、前記被検体の呼吸により体動する撮影部位からｋ空間のデータを取得するための第１のイメージングシーケンスとを含むシーケンスの組合せを複数有するプリスキャンを実行した後、前記被検体の呼吸データを取得するための第２のナビゲータシーケンスと、前記撮影部位からｋ空間のデータを取得するための第２のイメージングシーケンスとを含むシーケンスの組合せを複数有する本スキャンを実行する磁気共鳴装置であって、
前記プレスキャンの前記第１のナビゲータシーケンスにより取得された呼吸データに基づいて、前記被検体が所定の呼吸状態のときの呼吸範囲を設定する設定手段と、
前記本スキャンのシーケンスの組合せに含まれる前記第２のナビゲータシーケンスにより取得された呼吸データが、前記呼吸範囲に含まれている場合、前記第２のナビゲータシーケンスと同じシーケンスの組合せに含まれる前記第２のイメージングシーケンスにより取得されたｋ空間のデータを、画像再構成を行うためのｋ空間のデータとして用いる再構成手段とを有し、
前記再構成手段は、
前記プレスキャンのシーケンスの組合せに含まれる前記第１のナビゲータシーケンスにより取得された呼吸データが、前記呼吸範囲に含まれている場合、前記第１のナビゲータシーケンスと同じシーケンスの組合せに含まれる前記第１のイメージングシーケンスにより取得されたｋ空間のデータを、画像再構成を行うためのｋ空間のデータとして用いる、磁気共鳴装置である。
【０００６】
本発明の第２の態様は、被検体の呼吸データを取得するための第１のナビゲータシーケンスと、前記被検体の呼吸により体動する撮影部位からｋ空間のデータを取得するための第１のイメージングシーケンスとを含むシーケンスの組合せを複数有するプリスキャンを実行した後、前記被検体の呼吸データを取得するための第２のナビゲータシーケンスと、前記撮影部位からｋ空間のデータを取得するための第２のイメージングシーケンスとを含むシーケンスの組合せを複数有する本スキャンを実行する磁気共鳴装置のプログラムであって、
前記プレスキャンの前記第１のナビゲータシーケンスにより取得された呼吸データに基づいて、前記被検体が所定の呼吸状態のときの呼吸範囲を設定する設定処理と、
前記本スキャンのシーケンスの組合せに含まれる前記第２のナビゲータシーケンスにより取得された呼吸データが、前記呼吸範囲に含まれている場合、前記第２のナビゲータシーケンスと同じシーケンスの組合せに含まれる前記第２のイメージングシーケンスにより取得されたｋ空間のデータを、画像再構成を行うためのｋ空間のデータとして用いる再構成処理と、
を計算機に実行されるためのプログラムであり、
前記再構成処理は、
前記プレスキャンのシーケンスの組合せに含まれる前記第１のナビゲータシーケンスにより取得された呼吸データが、前記呼吸範囲に含まれている場合、前記第１のナビゲータシーケンスと同じシーケンスの組合せに含まれる前記第１のイメージングシーケンスにより取得されたｋ空間のデータを、画像再構成を行うためのｋ空間のデータとして用いる、プログラムである。
【発明の効果】
【０００７】
前記プレスキャンのシーケンスの組合せに含まれる前記第１のナビゲータシーケンスにより取得された呼吸データが、前記呼吸範囲に含まれている場合、同じシーケンスの組合せに含まれる前記第１のイメージングシーケンスにより取得されたｋ空間のデータを、画像再構成を行うためのｋ空間のデータとして用いる。したがって、画像再構成に必要なｋ空間のデータの一部を、プレスキャンによって得ることができるので、本スキャンの時間を短縮することができる。
【図面の簡単な説明】
【０００８】
【図１】本発明の一形態の磁気共鳴装置の概略図である。
【図２】本形態で実行されるシーケンスの説明図である。
【図３】撮影部位Ｒを概略的に示す図である。
【図４】プレスキャンＡおよび本スキャンＢを実行し、撮影部位Ｒの画像データを取得するときのフローの一例を示す図である。
【図５】ｋ空間に埋められるＮ個のデータセグメントSeg１〜SegＮを概略的に示す図である。
【図６】プレスキャンＡの説明図である。
【図７】被検体の呼吸の吐き終わりの範囲ＡＷの一例を示す図である。
【図８】本スキャンＢの説明図である。
【図９】イメージングシーケンスの後にナビゲータシーケンスを実行する場合のプリスキャンＡ又は本スキャンＢを概略的に示す図である。
【図１０】イメージングシーケンスの前後にナビゲータシーケンスを実行する場合のプリスキャン又は本スキャンを概略的に示す図である。
【図１１】別のプリスキャン又は本スキャンを概略的に示す図である。
【発明を実施するための形態】
【０００９】
以下、発明を実施するための形態について説明するが、本発明は、以下の形態に限定されることはない。
【００１０】
図１は、本発明の一形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１１】
マグネット２は、被検体１２が収容されるボア２１、超伝導コイル２２、勾配コイル２３、送信コイル２４などを有している。超伝導コイル２２は静磁場を印加し、勾配コイル２３は勾配磁場を印加し、送信コイル２４はＲＦパルスを送信する。尚、超伝導コイル２２の代わりに、永久磁石を用いてもよい。
【００１２】
テーブル３は、被検体１２を支持するためのクレードル３ａを有している。クレードル３ａがボア２１に移動することによって、被検体１２がボアに搬入される。
受信コイル４は被検体１２に取り付けられており、磁気共鳴信号を受信する。
【００１３】
ＭＲ装置１００は、更に、シーケンサ５、送信器６、勾配磁場電源７、受信器８、制御部９、操作部１０、および表示部１１を有している。
【００１４】
シーケンサ５は、制御部９の制御を受けて、パルスシーケンスを実行するための情報を送信器６および勾配磁場電源７に送る。
【００１５】
送信器６は、ＲＦコイル２４に信号を供給する。
勾配磁場電源７は、勾配コイル２３に信号を供給する。
受信器８は、受信コイル４で受信された磁気共鳴信号を信号処理し、制御部９に出力する。
【００１６】
制御部９は、シーケンサ５および表示部１１に必要な情報を伝送したり、受信器８から受け取ったデータに基づいて画像を再構成するなど、ＭＲ装置１００の各種の動作を実現するように、ＭＲ装置１００の各部の動作を制御する。制御部９は、例えばコンピュータ（computer）によって構成される。制御部９は、設定手段９１〜再構成手段９４などを有している。
【００１７】
設定手段９１は、被検体の呼吸の吐き終わりの範囲ＡＷ（図２参照）を設定する。
データセグメント特定手段９２は、複数のデータセグメントSeg１〜SegＭの中から（図７参照）、データセグメントを特定する。
判断手段９３は、ナビゲータシーケンスの呼吸データが、吐き終わりの範囲ＡＷに含まれているか否かを判断する。
再構成手段９４は、画像再構成を行う。
制御部９は、設定手段９１〜再構成手段９４を構成する一例であり、所定のプログラムを実行することにより、これらの手段として機能する。
【００１８】
操作部１０は、オペレータにより操作され、種々の情報を制御部９に入力する。表示部１１は種々の情報を表示する。
ＭＲ装置１００は、上記のように構成されている。
【００１９】
図２は、本形態で実行されるシーケンスの説明図、図３は、撮影部位Ｒを概略的に示す図である。
本形態では、プレスキャンＡと、本スキャンＢとが実行される。
【００２０】
本スキャンＢでは、シーケンスの組合せｂ１〜ｂｚが実行される。シーケンスの各組合せｂ１〜ｂｚは、ナビゲータシーケンスＮＡＶとイメージングシーケンスＩＳとを含んでいる。
【００２１】
ナビゲータシーケンスＮＡＶは、被検体の横隔膜の位置を検出し、被検体の呼吸データを取得するためのシーケンスである。イメージングシーケンスＩＳは、肝臓を含む撮影部位Ｒからｋ空間のデータを取得するためのシーケンスである。
【００２２】
また、シーケンスの組合せｂ１〜ｂｚの下には、被検体の呼吸データの時間変化を表すグラフが示されている。本形態では、シーケンスの各組合せｂ１〜ｂｚのナビゲータシーケンスＮＡＶで取得した呼吸データが、呼吸の吐き終わりの範囲ＡＷに含まれている場合、同じシーケンスの組合せのイメージングシーケンスＩＳで取得されたｋ空間のデータは、画像再構成のデータとして採用される。例えば、シーケンスの組合せｂ４のナビゲータシーケンスＮＡＶで取得された呼吸データは、呼吸の吐き終わりの範囲ＡＷに含まれているので、同じシーケンスの組合せｂ４のイメージングシーケンスＩＳで取得されたｋ空間のデータは、画像再構成のデータとして採用される。同様に、シーケンスの組合せｂ５のナビゲータシーケンスＮＡＶで取得された呼吸データも、呼吸の吐き終わりの範囲ＡＷに含まれているので、同じシーケンスの組合せｂ５のイメージングシーケンスＩＳで取得されたｋ空間のデータは、画像再構成のデータとして採用される。
【００２３】
一方、シーケンスの各組合せのナビゲータシーケンスで取得された呼吸データが、呼吸の吐き終わりの範囲ＡＷから外れている場合、同じシーケンスの組合せのイメージングシーケンスで取得されたｋ空間のデータは、画像再構成のデータとしては採用されない。例えば、シーケンスの組合せｂ１のナビゲータシーケンスＮＡＶで取得された呼吸データは、呼吸の吐き終わりの範囲ＡＷから外れているので、同じシーケンスの組合せｂ１のイメージングシーケンスＩＳで取得されたｋ空間のデータは、画像再構成のデータとしては採用されない。同様の理由により、シーケンスの組合せｂ２、ｂ３のイメージングシーケンスＩＳで取得されたｋ空間のデータは、画像再構成のデータとしては採用されない。
【００２４】
尚、本スキャンＢの前には、プレスキャンＡが実行される。プレスキャンＡは、図２に示す被検体の呼吸の吐き終わりの範囲ＡＷを設定するために実行されるスキャンである。本形態では、プレスキャンＡにより得られたデータに基づいて、被検体の呼吸の吐き終わりの範囲ＡＷを事前に設定しておき、本スキャンＢを実行する。そして、呼吸データが呼吸の吐き終わりの範囲ＡＷに含まれているときに取得されたｋ空間のデータを、画像再構成のデータとして使用する。
【００２５】
次に、プレスキャンＡおよび本スキャンＢを実行し、撮影部位Ｒの画像データを取得するときの具体的な方法について説明する。
【００２６】
図４は、プレスキャンＡおよび本スキャンＢを実行し、撮影部位Ｒの画像データを取得するときのフローの一例を示す図である。尚、以下の説明では、１回のイメージングシーケンスＩＳにより得られるｋ空間のデータを１データセグメントとし、図５に示すように、ｋ空間にＮ個のデータセグメントSeg１〜SegＮを埋めていき、撮影部位Ｒの画像データを作成する場合について説明する。尚、図５では、説明の便宜上、データセグメントSeg１、Seg２、およびSeg３のみを符号を付して示し、他のデータセグメントの符号は省略している。
【００２７】
ステップＳＴ１では、プレスキャンＡを実行する。図６はプレスキャンＡの説明図である。
【００２８】
プレスキャンＡでは、被検体の呼吸データを取得するためのナビゲータシーケンスＮＡＶが実行される。ただし、プレスキャンＡでは、本スキャンＢと同じ条件で被検体の呼吸データが得られるようにするために、本スキャンＢと同様に（図２参照）、ナビゲータシーケンスＮＡＶとイメージングシーケンスＩＳとを含むシーケンスの組合せａ１〜ａＭが実行される。
【００２９】
プレスキャンＡでは、ナビゲータシーケンスＮＡＶが繰り返し実行されるので、プレスキャンＡを実行することにより、被検体の呼吸データが時系列的に得られる。シーケンスの組合せａ１〜ａＭの下には、被検体の呼吸データの時間変化を表すグラフが示されている。
【００３０】
また、プレスキャンＡでは、ナビゲータシーケンスＮＡＶと交互にイメージングシーケンスＩＳも実行されるので、プレスキャンＡを実行することによって、撮影部位Ｒのｋ空間のデータを表すデータセグメントを取得することができる。プレスキャンＡでは、Ｍ個のデータセグメントSeg１〜SegＭが得られる。プレスキャンＡを実行した後、ステップＳＴ２に進む。
【００３１】
ステップＳＴ２では、設定手段９１（図１参照）は、プレスキャンＡにより検出された呼吸データの時間変化（図６参照）に基づいて、被検体の呼吸の吐き終わりの範囲ＡＷを設定する。図７に、被検体の呼吸の吐き終わりの範囲ＡＷの一例を示す。吐き終わりの範囲ＡＷは、例えば、被検体が息を吐き終わったときの呼吸データの平均値を算出し、算出した平均値に基づいて設定することができる。吐き終わりの範囲ＡＷを設定した後、ステップＳＴ３に進む。
【００３２】
ステップＳＴ３では、データセグメント特定手段９２（図１参照）は、プリスキャンＡにより得られたデータセグメントSeg１〜SegＭの中から、呼吸データが吐き終わりの範囲ＡＷに含まれているときに収集されたデータセグメントを特定する。本形態では、シーケンスの組合せａ１、ａ２、ａ６、およびａ７の呼吸データが、吐き終わりの範囲ＡＷに含まれているとする。したがって、データセグメント特定手段９２は、データセグメントSeg１〜SegＭの中から、データセグメントSeg１、Seg２、Seg６、およびSeg７を、呼吸データが吐き終わりの範囲ＡＷに含まれているときに収集されたデータセグメントとして特定する。データセグメントを特定した後、ステップＳＴ４に進む。
【００３３】
ステップＳＴ４では、本スキャンＢを実行する。
図８は、本スキャンＢの説明図である。
【００３４】
画像再構成に必要なデータセグメントSeg１〜SegＮのうち、データセグメントSeg１、Seg２、Seg６、およびSeg７については、プレスキャンＡによって、呼吸データが吐き終わりの範囲ＡＷに含まれているときに取得されている。したがって、本スキャンＢでは、データセグメントSeg１から取得する必要はなく、データセグメントSeg３からデータセグメントの取得を開始する。
【００３５】
本スキャンの１回目のシーケンスの組合せｂ１では、ナビゲータシーケンスＮＡＶが実行され、次に、データセグメントSeg３を収集するためのイメージングシーケンスＩＳが実行される。判断手段９３（図１参照）は、ナビゲータシーケンスＮＡＶにより得られた呼吸データが、吐き終わりの範囲ＡＷに含まれているか否かを判断する。１回目のシーケンスの組合せｂ１では、呼吸データは吐き終わりの範囲ＡＷから外れている。したがって、１回目のシーケンスの組合せｂ１のデータセグメントSeg３は破棄される（つまり、画像再構成のためのデータセグメントとして採用されない）。１回目のシーケンスの組合せｂ１が実行された後、２回目のシーケンスの組合せｂ２が実行される。
【００３６】
２回目のシーケンスの組合せｂ２では、ナビゲータシーケンスＮＡＶが実行され、次に、１回目のシーケンスの組合せｂ１において破棄すると決定されたデータセグメントSeg３を収集し直すためのイメージングシーケンスＩＳが実行される。ただし、２回目のシーケンスの組合せｂ２でも、呼吸データは吐き終わりの範囲ＡＷから外れている。したがって、２回目のシーケンスの組合せｂ２のデータセグメントSeg３も破棄される（つまり、画像再構成のためのデータセグメントとして採用されない）。２回目のシーケンスの組合せｂ２が実行された後、３回目のシーケンスの組合せｂ３が実行される。
【００３７】
以下同様に、呼吸データが吐き終わりの範囲ＡＷに含まれるまでは、データセグメントSeg３を収集し直すためのシーケンスの組合せが実行される。図８では、３回目のシーケンスの組合せｂ３で取得された呼吸データも吐き終わりの範囲ＡＷから外れている。したがって、３回目のシーケンスの組合せｂ３のデータセグメントSeg３も破棄される（つまり、画像再構成のためのデータセグメントとして採用されない）。
【００３８】
しかし、４回目のシーケンスの組合せｂ４で取得された呼吸データは、吐き終わりの範囲ＡＷに含まれている。したがって、４回目のシーケンスの組合せｂ４のデータセグメントSeg３は、画像再構成のためのデータセグメントとして採用される。このようにして、データセグメントSeg３が得られる。４回目のシーケンスの組合せｂ４が実行された後、５回目のシーケンスの組合せｂ５が実行される。４回目のシーケンスの組合せｂ４によって、吐き終わりの範囲ＡＷでデータセグメントSeg３が得られたので、５回目のシーケンスの組合せｂ５では、次のデータセグメントSeg４を収集する。
【００３９】
５回目のシーケンスの組合せｂ５では、ナビゲータシーケンスＮＡＶが実行され、次に、データセグメントSeg４を収集するためのイメージングシーケンスＩＳが実行される。５回目のシーケンスの組合せｂ５では、呼吸データは吐き終わりの範囲ＡＷに含まれている。したがって、５回目のシーケンスの組合せｂ５のデータセグメントSeg４は、画像再構成のためのデータセグメントとして採用される。５回目のシーケンスの組合せｂ５が実行された後、６回目のシーケンスの組合せｂ６が実行される。６回目のシーケンスの組合せｂ６では、次のデータセグメントSeg５を収集する。
【００４０】
６回目のシーケンスの組合せｂ６では、ナビゲータシーケンスＮＡＶが実行され、次に、データセグメントSeg５を収集するためのイメージングシーケンスＩＳが実行される。しかし、６回目のシーケンスの組合せｂ６では、呼吸データは吐き終わりの範囲ＡＷから外れている。したがって、６回目のシーケンスの組合せｂ６のデータセグメントSeg５は破棄される（つまり、画像再構成のためのデータセグメントとして採用されない）。
【００４１】
以下同様に、呼吸データが吐き終わりの範囲ＡＷに含まれるまで、データセグメントSeg５を収集し直すためのイメージングシーケンスが実行される。図８では、７回目および８回目のシーケンスの組合せｂ７およびｂ８で取得された呼吸データも、吐き終わりの範囲ＡＷから外れている。したがって、７回目および８回目のシーケンスの組合せｂ７およびｂ８のデータセグメントSeg５も破棄される（つまり、画像再構成のためのデータセグメントとして採用されない）。
【００４２】
しかし、９回目のシーケンスの組合せｂ９で取得された呼吸データは、吐き終わりの範囲ＡＷに含まれている。したがって、９回目のシーケンスの組合せｂ９のデータセグメントSeg５は、画像再構成のためのデータセグメントとして採用される。このようにして、データセグメントSeg５が得られる。９回目のシーケンスの組合せｂ９が実行された後、１０回目のシーケンスの組合せｂ１０が実行される。尚、データセグメントSeg６およびSeg７については、プレスキャンＡによって、呼吸データが吐き終わりの範囲ＡＷに含まれているときに取得されている（図７参照）。したがって、１０回目のシーケンスの組合せｂ１０では、データセグメントSeg６およびSeg７を収集せずに、次のデータセグメントSeg８の収集を行う。
【００４３】
以下同様に、呼吸データが吐き終わりの範囲ＡＷに含まれるまでは、同じデータセグメントの収集を繰り返し行う。このようにして、データセグメントの収集を行い、呼吸データが吐き終わりの範囲ＡＷに含まれたときにデータセグメントSegＮが収集されたら、スキャンを終了する。そして、再構成手段９４（図１参照）は、呼吸データが吐き終わりの範囲ＡＷに含まれているときに収集されたデータセグメントを用いて画像再構成を行う。このようにして、フローが終了する。
【００４４】
本形態では、呼吸データが吐き終わりの範囲ＡＷに含まれているときに収集されたデータセグメントを用いて画像再構成を行うので、体動アーチファクトが低減された画像データを得ることができる。
【００４５】
また、本形態では、被検体の呼吸の吐き終わりの範囲ＡＷを設定するために実行されるプリスキャンＡのときに、ナビゲータシーケンスＮＡＶだけでなく、イメージングシーケンスＩＳを実行している。そして、プレスキャンＡで検出された呼吸データが吐き終わりの範囲ＡＷに含まれている場合は、同じシーケンスの組合せのイメージングシーケンスＩＳにより収集されたデータセグメントを、画像再構成のデータとして採用している。つまり、画像再構成に必要なＮ個のデータセグメントSeg１〜SegＮのうち、一部のデータセグメントは、プレスキャンＡによって得ることができる。したがって、本スキャンＢでは、プレスキャンＡで得ることができなかった残りのデータセグメントだけを取得すればよいので、スキャン時間を短縮することができる。
【００４６】
尚、本形態では、シーケンスの組合せを実行する場合、イメージングシーケンスの前にナビゲータシーケンスを実行している。しかし、イメージングシーケンスの後にナビゲータシーケンスを実行してもよい。図９に、イメージングシーケンスの後にナビゲータシーケンスを実行する場合のプリスキャンＡ又は本スキャンＢを概略的に示す。図９の場合でも、呼吸データが吐き終わりの範囲ＡＷに含まれているときに収集されたデータセグメントを用いて画像再構成を行うので、体動アーチファクトが低減された画像データを得ることができる。また、画像再構成に必要なＮ個のデータセグメントのうち、一部のデータセグメントは、プレスキャンＡによって得ることができるので、スキャン時間を短縮することができる。
【００４７】
更に、イメージングシーケンスの前後にナビゲータシーケンスを実行してもよい。
図１０は、イメージングシーケンスの前後にナビゲータシーケンスを実行する場合のプリスキャン又は本スキャンを概略的に示す。
【００４８】
図１０では、シーケンスの各組合せは、ナビゲータシーケンスＮＡＶ１およびＮＡＶ２を有している。ナビゲータシーケンスＮＡＶ１は、イメージングシーケンスＩＳの前に実行され、ナビゲータシーケンスＮＡＶ２は、イメージングシーケンスＩＳの後に実行される。したがって、シーケンスの各組合せを実行するたびに、ナビゲータシーケンスＮＡＶ１による呼吸データｄ１と、ナビゲータシーケンスＮＡＶ２による呼吸データｄ２が得られる。図１０では、呼吸データｄ１およびｄ２の両方が吐き終わりの範囲ＡＷに含まれている場合、イメージングシーケンスＩＳにより収集されたデータセグメントを、画像再構成のデータとして使用することができる。この場合、体動アーチファクトが更に低減された画像データを得ることができる。
【００４９】
一方、呼吸データｄ１およびｄ２のいずれか一方が吐き終わりの範囲ＡＷに含まれている場合、イメージングシーケンスＩＳにより収集されたデータセグメントを、画像再構成のデータとして使用してもよい。この場合、呼吸データｄ１およびｄ２のいずれか一方が吐き終わりの範囲ＡＷに含まれていれば、データセグメントは画像再構成のデータとして使用されるので、スキャン時間を更に短縮することができる。
【００５０】
また、図１１に示すようにしてもよい。図１１では、シーケンスの組合せが、ナビゲータシーケンスＮＡＶ１とイメージングシーケンスＩＳとを含んでおり、ナビゲータシーケンスＮＡＶ２を含んでいない例が示されている。シーケンスの組合せｂｉのナビゲータシーケンスＮＡＶｉにより呼吸データｄｉが得られ、次のシーケンスの組合せｂｉ＋１のナビゲータシーケンスＮＡＶｉ＋１により呼吸データｄｉ＋１が得られる。この場合、両方の呼吸データｄｉおよびｄｉ＋１が吐き終わりの範囲ＡＷに含まれている場合、シーケンスの組合せｂｉのイメージングシーケンスＩＳにより収集されたデータセグメントを、画像再構成のデータとして使用することができる。また、呼吸データｄｉおよびｄｉ＋１のいずれか一方が吐き終わりの範囲ＡＷに含まれている場合、イメージングシーケンスＩＳにより収集されたデータセグメントを、画像再構成のデータとして使用してもよい。
【００５１】
尚、本形態では、呼吸データが吐き終わりの範囲ＡＷに含まれている場合、データセグメントを画像再構成のデータとして採用される。しかし、呼吸データが、吐き終わりとは別の範囲に含まれている場合、データセグメントを画像再構成のデータとして採用してもよい。例えば、プレスキャンＡにより取得された呼吸データに基づいて呼吸の吐き始めの範囲を求め、呼吸データが吐き始めの範囲に含まれる場合に、データセグメントを画像再構成のデータとして採用してもよい。
【符号の説明】
【００５２】
２  マグネット
３  テーブル
３ａ  クレードル
４  受信コイル
５  シーケンサ
６  送信器
７  勾配磁場電源
８  受信器
９  制御部
１０  操作部
１１  表示部
１２  被検体
２１  ボア
２２  超伝導コイル
２３  勾配コイル
２４  送信コイル
９１  設定手段
９２  データセグメント特定手段
９３  判断手段
９４  再構成手段
１００  ＭＲ装置
【図１】
2013154015.tif 000003
【図２】
2013154015.tif 000004
【図３】
2013154015.tif 000005
【図４】
2013154015.tif 000006
【図５】
2013154015.tif 000007
【図６】
2013154015.tif 000008
【図７】
2013154015.tif 000009
【図８】
2013154015.tif 000010
【図９】
2013154015.tif 000011
【図１０】
2013154015.tif 000012
【図１１】
2013154015.tif 000013